(57)【要約】      （修正有）【課題】組立作業が容易、かつ組立時にピニオン歯車とラックの位相合わせを簡単に行うことができ、常に、固定側板に対して可動側板を平行状態で移動させることが可能な収納幅可変式板材収納枠と組立方法を提供する。【解決手段】天板２と底板３との間に固定側板５と、固定側板５と平行な状態で移動し所望の位置で固定できる可動側板６を配設し、可動側板６の四隅近傍に配設されたピニオン歯車と、天板２及び底板３の内面に配設され、各々のピニオン歯車と噛合するラック１７及び１８が形成されてなるガイドレール１１Ａ及び１１Ｂと、可動側板６の各々のピニオン歯車が配設された近傍に突出形成されたボス部と、天板２及び底板３の固定側板５の配設位置近傍に形成され、各々のボス部が挿入可能な溝１４と、各々の溝１４に連通し、可動側板６が移動する際にボス部が通過する連通路を備えてなる。【選択図】    図１
2006193194.tif 000002
【特許請求の範囲】
【請求項１】
一定間隔をあけて設けられた天板と底板との間に２枚の直立する側板を向かい合わせて設け、該側板の一方を固定側板とし、他方を該固定側板と平行な状態で移動でき所望の位置で固定できる可動側板とした可変式板材収納枠であって、
前記可動側板の四隅近傍に配設されると共に、互いに連動するピニオン歯車と、
前記固定側板に対して略直角方向になるよう前記天板及び底板の内面に配設されると共に、前記各々のピニオン歯車と噛合するラックが各々形成されてなるガイドレールと、
前記可動側板の前記各々のピニオン歯車が配設された近傍に突出形成されたボス部と、
前記天板及び底板の前記固定側板配設位置近傍に形成され、前記各々のボス部が挿入可能な溝と、
前記各々のガイドレールに沿って前記天板及び底板に形成されると共に、前記各々の溝に連通し、前記可動側板が移動する際に前記ボス部が通過する連通路と、
を備えてなる可変式板材収納枠。
【請求項２】
前記溝の前記可動側板が配設される側の近傍に、当該可動側板側から固定側板側に向けて徐々に突出し、前記ボス部を当該溝に誘導する傾斜面を形成してなる請求項１記載の可変式板材収納枠。
【請求項３】
前記天板及び底板に、前記各々のガイドレールと平行に延びる貫通孔を形成し、
前記可動側板に、前記貫通孔をそれぞれ貫通して前記天板または底板の表面と裏面から挟圧し、当該可動側板を前記天板及び底板に対して固定する固定機構を設けた請求項１または請求項２記載の可変式板材収納枠。
【請求項４】
前記固定機構は、
前記貫通孔を貫通すると共に、当該貫通方向に移動可能であり、且つ一端に前記天板または底板によって係止される係止部を備えたテンションロッドと、
前記テンションロッドの他端に、当該テンションロッドに対して回動可能に接続され、当該回動によって、当該テンションロッドを前記貫通方向に移動させるカムを有するロックレバーと、
前記テンションロッドの係止部が前記天板または底板から遠ざかるように、当該テンションロッドを付勢する付勢部材と、
を備えてなる請求項３記載の可変式板材収納枠。
【請求項５】
前記テンションロッドは、前記天板または底板を挟圧していない状態で、前記ピニオン歯車と、これに噛合するラックとの間に隙間を形成可能な高さを備えて、前記可動側板から突出形成されてなる請求項４記載の可変式板材収納枠。
【請求項６】
一定間隔をあけて設けられた天板と底板との間に２枚の直立する側板を向かい合わせて設け、該側板の一方を固定側板とし、他方を該固定側板と平行な状態で移動でき所望の位置で固定できる可動側板とし、
前記可動側板の四隅近傍に配設されると共に、互いに連動するピニオン歯車と、
前記固定側板に対して略直角方向になるよう前記天板及び底板の内面に配設されると共に、前記各々のピニオン歯車と噛合するラックが各々形成されてなるガイドレールと、
前記可動側板の前記各々のピニオン歯車が配設された近傍に突出形成されたボス部と、
前記天板及び底板の前記固定側板配設位置近傍に形成され、前記各々のボス部が挿入可能な溝と、
前記各々のガイドレールに沿って前記天板及び底板に形成されると共に、前記各々の溝に連通し、前記可動側板が移動する際に前記ボス部が通過する連通路と、
を備えてなる可変式板材収納枠の組立方法であって、
前記底板に、前記固定側板を立設する工程と、
前記固定側板が立設された底板の前記各々の溝に、前記可動側板の底板側となる端部に形成されたボス部を各々挿入し、当該可動側板を前記底板に対し立設させると共に、前記固定側板と平行に配置する工程と、
前記ボス部を溝に挿入した状態で、前記可動側板の底板側を支点として、当該可動側板を前記固定側板から遠ざかる方向に倒す工程と、
前記可動側板を倒した状態で、前記固定側板に前記天板を装着する工程と、
前記天板を装着した後、前記可動側板を起こして、当該天板の前記各々の溝に、前記可動側板の天板側となる端部に形成されたボス部を各々挿入し、当該可動側板を当該固定側板と平行に配置する工程と、
前記各々の溝部に挿入された前記ボス部を前記各々の連通路に通過させて、前記可動側板を前記固定側板に対して移動し、前記可動側板を所望位置で停止させる工程と、
を備えた可変式板材収納枠の組立方法。
【請求項７】
前記可変式板材収納枠は、少なくとも前記天板に形成された溝の前記可動側板が配設される側の近傍に、当該可動側板側から固定側板側に向けて徐々に突出する傾斜面がさらに形成されてなり、
前記可動側板を起こして、前記天板の前記各々の溝に、前記可動側板の天板側となる端部に形成されたボス部を各々挿入する際に、当該ボス部を前記傾斜面に沿って移動させて前記各々の溝に挿入させる工程をさらに備えた請求項６載の可変式板材収納枠の組立方法。
【請求項８】
前記可変式板材収納枠は、前記天板及び底板に、前記各々のガイドレールと平行に延びる貫通孔が形成されてなり、
前記可動側板を、当該可動側板に設けられ、前記貫通孔をそれぞれ貫通する固定部材によって、前記天板または底板の表面と裏面から挟圧して、所定位置に固定する工程をさらに備えた請求項６または請求項７記載の可変式板材収納枠の組立方法。
【請求項９】
前記固定部材は、
前記貫通孔を貫通すると共に、当該貫通方向に移動可能であり、且つ一端に前記天板または底板によって係止される係止部を備えたテンションロッドと、
前記テンションロッドの他端に、当該テンションロッドに対して回動可能に接続され、当該回動によって、当該テンションロッドを前記貫通方向に移動させるカムを有するロックレバーと、
前記テンションロッドの係止部が前記天板または底板から遠ざかるように、当該テンションロッドを付勢する付勢部材と、
を備えてなり、
前記可動側板を起こす際に、前記付勢部材の付勢力によって、前記係止部を前記天板に当接させる工程をさらに備えた請求項８記載の可変式板材収納枠の組立方法。
【請求項１０】
前記テンションロッドは、前記天板または底板を挟圧していない状態で、前記ピニオン歯車と、これに噛合するラックとの間に隙間を形成可能な高さを備えて、前記可動側板から突出形成されてなり、
前記可動側板を起こす際に、前記付勢部材の付勢力によって、前記係止部を前記天板に当接させ、前記ピニオン歯車と、これに噛合するラックとの間に隙間を形成する工程をさらに備えた請求項９記載の可変式板材収納枠の組立方法。
【発明の詳細な説明】
【技術分野】
【０００１】
本発明は、各種電気・電子機器等に組み込まれるプリント基板やその他の産業分野で使用される板材（例えば建築材料としてのパネル等）を収納すると共に、前記板材の幅寸法の変化に対応可能な収納幅可変式板材収納枠及びその組立方法に関する。
【背景技術】
【０００２】
従来から、様々な分野で使用される板材の幅寸法の変化に対応して、当該板材を収納可能な収納幅可変式板材収納枠が紹介されている。
【０００３】
このような収納幅可変式板材収納枠として、例えば、一定間隔をあけて設けられた天板と底板との間に、２枚の直立する側板を対向させて設け、当該側板の一方を固定側板とし、他方を固定側板に対し平行な状態で移動でき、所望の位置で固定できる可動側板とし、この可動側板を移動させることによって、収納される板材の幅寸法に対応するものがある。この収納幅可変式板材収納枠は、可動側板の四隅部近傍に互いに連動する少なくとも各１個のピニオン歯車を回動自在に設け、これらの全てのピニオン歯車と噛合するラックを刻設したガイドレールを固定側板に対して直角方向になるよう天板及び底板の内面に配設した構成を備えている。（例えば、特許文献１参照）。
【０００４】
この従来の収納幅可変式板材収納枠は、これを組立てる際に、固定側板や支柱を先に底板に固定すると可動側板のピニオン歯車とラックとの位相合わせがしにくいため、まず可動側板を上下の天板と底板で挟みながら上下４カ所のピニオン歯車とラックの位相合わせを行い、ぐらついた不安定な状態のまま可動側板を動かしラックの終端面に押し当てて位相を確認した後、支柱と固定側板を天板と底板に固定して組立てている。このため、組立作業中、各部品が不安定な状態であり、習熟しないと組立てに時間がかかるというのが実情である。
【０００５】
そこで、習熟しなくても組立てが容易に行え、組立ての作業時間を短縮することができる収納幅可変式板材収納枠の組立方法として、可動側板を固定側板の組み込みと同時に上下の位相合わせができるよう固定側板と可動側板とを分離可能に一体に仮固定する固定具を設けた収納幅可変式板材収納枠の組立方法が紹介されている。この収納幅可変式板材収納枠も、上下左右に配設されたピニオン歯車とラックによって、可動側板を移動させて、収納幅を調整している。（例えば、特許文献２参照）。
【特許文献１】実公平４−２９５９５号公報
【特許文献２】特開２００２−１７９１７０号公報
【発明の開示】
【発明が解決しようとする課題】
【０００６】
しかしながら、特許文献２に記載された収納幅可変式板材収納枠の組立方法は、特許文献１に記載された収納幅可変式板材収納枠よりも組立作業は簡略化されるが、収納幅可変式板材収納枠を組立てる際に、前述したピニオン歯車とラックが、依然として上下左右で位相ずれ（位置ずれ）を起こし易く、未だ改良の余地があった。このピニオン歯車とラックが位相ずれを起こすと、固定側板に対して可動側板を平行な状態で移動させることができないという不具合が生じる。
【０００７】
本発明は、このような従来の収納幅可変式板材収納枠、及びその組立方法を改良することを課題とするものであり、組立作業が容易に行えることは勿論のこと、組立ての際にピニオン歯車とラックの位相合わせを簡単に行うことができ、常に、固定側板に対して可動側板を平行な状態で移動させることが可能な収納幅可変式板材収納枠、及びその組立方法を提供することを目的とする。
【課題を解決するための手段】
【０００８】
この目的を達成するため、本発明は、一定間隔をあけて設けられた天板と底板との間に２枚の直立する側板を向かい合わせて設け、該側板の一方を固定側板とし、他方を該固定側板と平行な状態で移動でき所望の位置で固定できる可動側板とした可変式板材収納枠であって、前記可動側板の四隅近傍に配設されると共に、互いに連動するピニオン歯車と、前記固定側板に対して略直角方向になるよう前記天板及び底板の内面に配設されると共に、前記各々のピニオン歯車と噛合するラックが各々形成されてなるガイドレールと、前記可動側板の前記各々のピニオン歯車が配設された近傍に突出形成されたボス部と、前記天板及び底板の前記固定側板配設位置近傍に形成され、前記各々のボス部が挿入可能な溝と、前記各々のガイドレールに沿って前記天板及び底板に形成されると共に、前記各々の溝に連通し、前記可動側板が移動する際に前記ボス部が通過する連通路と、を備えてなる可変式板材収納枠を提供するものである。
【０００９】
この構成を備えた可変式板材収納枠は、前記可動側板に形成されたボス部を天板及び底板に形成された溝に各々挿入することで、可動側板は、天板及び底板に対して正しく位置合わせされることになるため、ピニオン歯車とラックとの位相合わせを簡単に行うことができる。また、この位置合わせ後、ボス部は連通溝を通過し、可動側板を所望位置まで移動することができる。
【００１０】
また、本発明にかかる可変式板材収納枠は、前記溝の前記可動側板が配設される側の近傍に、当該可動側板側から固定側板側に向けて徐々に突出し、前記ボス部を当該溝に誘導する傾斜面を形成することができる。このように構成することで、ボス部をさらに簡単に溝に正確に挿入することができる。
【００１１】
さらにまた、本発明にかかる可変式板材収納枠は、前記天板及び底板に、前記各々のガイドレールと平行に延びる貫通孔を形成し、前記可動側板に、前記貫通孔をそれぞれ貫通して、前記天板または底板の表面と裏面から挟圧し、当該可動側板を前記天板及び底板に対して固定する固定機構を設けた構成とすることもできる。
【００１２】
そしてまた、前記固定機構は、前記貫通孔を貫通すると共に、当該貫通方向に移動可能であり、且つ一端に前記天板または底板によって係止される係止部を備えたテンションロッドと、前記テンションロッドの他端に、当該テンションロッドに対して回動可能に接続され、当該回動によって、当該テンションロッドを前記貫通方向に移動させるカムを有するロックレバーと、前記テンションロッドの係止部が前記天板または底板から遠ざかるように、当該テンションロッドを付勢する付勢部材と、を備えて構成することもできる。
【００１３】
また、前記テンションロッドは、前記天板または底板を挟圧していない状態で、前記ピニオン歯車と、これに噛合するラックとの間に隙間を形成可能な高さを備えて、前記可動側板から突出形成することができる。
【００１４】
さらにまた、本発明は、一定間隔をあけて設けられた天板と底板との間に２枚の直立する側板を向かい合わせて設け、該側板の一方を固定側板とし、他方を該固定側板と平行な状態で移動でき所望の位置で固定できる可動側板とし、前記可動側板の四隅近傍に配設されると共に、互いに連動するピニオン歯車と、前記固定側板に対して略直角方向になるよう前記天板及び底板の内面に配設されると共に、前記各々のピニオン歯車と噛合するラックが各々形成されてなるガイドレールと、前記可動側板の前記各々のピニオン歯車が配設された近傍に突出形成されたボス部と、前記天板及び底板の前記固定側板配設位置近傍に形成され、前記各々のボス部が挿入可能な溝と、前記各々のガイドレールに沿って前記天板及び底板に形成されると共に、前記各々の溝に連通し、前記可動側板が移動する際に前記ボス部が通過する連通路と、を備えてなる可変式板材収納枠の組立方法であって、を備えた可変式板材収納枠の組立方法を提供するものである。
【００１５】
この可変式板材収納枠の組立方法によれば、可動側板の底板側となる端部に形成されたボス部を底板に形成された溝に各々挿入し、この状態で、可動側板の底板側を支点として、当該可動側板を前記固定側板から遠ざかる方向に倒した後、固定側板に前記天板を装着し、次いで、可動側板を起こして、当該天板の前記各々の溝に、前記可動側板の天板側となる端部に形成されたボス部を各々挿入するという簡単な動作で、可動側板は、天板及び底板に対して正しく位置合わせされることになるため、ピニオン歯車とラックとの位相合わせを簡単に行うことができる。また、この位置合わせ後、ボス部は連通溝を通過し、可動側板を所望位置まで移動することができる。
【００１６】
また、本発明にかかる組立方法は、少なくとも前記天板に形成された溝の前記可動側板が配設される側の近傍に、当該可動側板側から固定側板側に向けて徐々に突出する傾斜面がさらに形成されてなり、前記可動側板を起こして、前記天板の前記各々の溝に、前記可動側板の天板側となる端部に形成されたボス部を各々挿入する際に、当該ボス部が前記傾斜面に沿って移動して前記各々の溝に挿入される工程を有することができる。このように、前記ボス部が前記傾斜面に沿って移動して前記各々の溝に挿入される工程を備えることで、可動側板の天板側となる端部に形成されたボス部をさらに簡単に溝に挿入することができる。
【００１７】
そしてまた、本発明にかかる組立方法は、前記天板及び底板に、前記各々のガイドレールと平行に延びる貫通孔が形成されてなり、前記可動側板を、当該可動側板に設けられ、前記貫通孔をそれぞれ貫通する固定部材によって、前記天板または底板の表面と裏面から挟圧して、所定位置に固定する工程を備えることができる。この工程を備えることで、前記利点に加え、前記可動側板を所望位置に確実に固定することができる。
【００１８】
さらにまた、本発明にかかる組立方法は、前記固定部材が、前記貫通孔を貫通すると共に、当該貫通方向に移動可能であり、且つ一端に前記天板または底板によって係止される係止部を備えたテンションロッドと、前記テンションロッドの他端に、当該テンションロッドに対して回動可能に接続され、当該回動によって、当該テンションロッドを前記貫通方向に移動させるカムを有するロックレバーと、前記テンションロッドの係止部が前記天板または底板から遠ざかるように、当該テンションロッドを付勢する付勢部材と、を備えてなり、前記可動側板を起こす際に、前記付勢部材の付勢力によって、前記係止部を前記天板に当接させる工程を備えることができる。
【００１９】
また、本発明にかかる組立方法は、前記テンションロッドは、前記天板または底板を挟圧していない状態で、前記ピニオン歯車と、これに噛合するラックとの間に隙間を形成可能な高さを備えて、前記可動側板から突出形成されてなり、前記可動側板を起こす際に、前記付勢部材の付勢力によって、前記係止部が前記天板に当接して、前記ピニオン歯車と、これに噛合するラックとの間に隙間を形成することができる。
【００２０】
この工程を備えることで、可動側板を起こす際に、前記係止部が前記天板に当接するため、前記利点に加え、ラックとピニオン歯車とが干渉することなく、可動側板を起こすことができる。なお、前記係止部は、前記付勢部材の付勢力によって最大限に延出されている。
【発明の効果】
【００２１】
本発明にかかる可変式板材収納枠及びその組立方法によれば、可動側板に形成されたボス部を天板及び底板に形成された溝に各々挿入することで、天板及び底板に対して可動側板を正しく位置合わせすることができる。したがって、組立作業が容易に行えることは勿論のこと、常に、固定側板に対して可動側板を平行な状態で移動させることができる。
【発明を実施するための最良の形態】
【００２２】
次に、本発明の好適な実施の形態にかかる可変式板材収納枠及びその組立方法について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００２３】
図１は、本発明の実施の形態にかかる可変式板材収納枠の斜視図、図２は、図１に示す可変式板材収納枠の構成要素である天板の平面図、図３は、図１に示す可変式板材収納枠の構成要素である可動側板の斜視図、図４は、図３に示す可動側板の正面図、図５は、図３に示す可動側板の一部を拡大して示す斜視図、図６は、図３に示す可動側板の一部を拡大して示す断面図であり、天板をロックしていない状態を示す図、図７は、図３に示す可動側板の一部を拡大して示す断面図であり、天板をロックしている状態を示す図、図８は、図１に示す可変式板材収納枠の組立工程の一部を示す斜視図、図９は、図８に示す組立途中の可変式板材収納枠の一部を拡大して示す斜視図、図１０は、図１に示す可変式板材収納枠の組立工程の一部を示す側面図、図１１は、図１に示す可変式板材収納枠の組立工程の一部を示す側面図、図１２は、図１１に示す可変式板材収納枠の一部を拡大して示す断面図、図１３は、図１に示す可変式板材収納枠の組立工程の一部を示す側面図、図１４は、図１に示す可変式板材収納枠の組立工程の一部を示す側面図、図１５は、図１４に示す可変式板材収納枠の一部を拡大して示す断面図、図１６は、図１に示す可変式板材収納枠の組立工程の一部を示す側面図、図１７は、図１６に示す可変式板材収納枠の一部を拡大して示す断面図、図１８は、図１に示す可変式板材収納枠の組立工程の一部を示す側面図、図１９は、図１８に示す可変式板材収納枠の天板付近を拡大して示す断面図、図２０は、図１８に示す可変式板材収納枠の底板付近を拡大して示す断面図、図２１は、図１８に示す可変式板材収納枠の底板付近を拡大して示す斜視図、図２２は、図１８に示す可変式板材収納枠の底板付近を拡大して示す斜視図である。
【００２４】
図１〜図２２に示すように、本発明の実施の形態にかかる可変式板材収納枠１は、一定間隔をあけて設けられた天板２及び底板３と、上端が天板２の一縁部２Ａに固定されると共に、下端が底板３の一縁部３Ａに固定され、天板２及び底板３の間に直立した状態で配設された固定側板５と、天板２及び底板３との間に、固定側板５と向かい合わせて設けられ、固定側板５と平行な状態で移動でき所望の位置で固定できる可動側板６と、可動側板６に設けられ、可動側板６を天板２及び底板３に対して固定する固定機構４０と、天板２及び底板３の固定側板５が配設されていない側の角部に各々配設された支柱４Ａ及び４Ｂを備えて構成されている。
【００２５】
すなわち、本発明の実施の形態にかかる可変式板材収納枠１は、図１に示すように、天板２と底板３、固定側板５、支柱４Ａ及び４Ｂにて剛性のある箱体が完成される。
【００２６】
天板２は、底板３と同様の材質及び構成を備えており、プラスチック等の合成樹脂（例えばポリスチレン、ＡＢＳ樹脂、ポリアミド等）からなる成形品である。天板２の下面２Ｄ（すなわち、可変式板材収納枠１の内側となる内面：図２参照）には、一縁部２Ａから、一縁部２Ａに対向する一縁部２Ｂに向けて延びるガイドレール１１Ａ及び１１Ｂが、互いに間隔をおいて平行に配設されている。このガイドレール１１Ａ及び１１Ｂには、後に詳述する可動側板６に配設されたピニオン歯車２１が噛合するラック１７と、ピニオン歯車２２が噛合するラック１８が各々形成されている。
【００２７】
また、天板２のガイドレール１１Ａ及び１１Ｂの外側であって、一縁部２Ａ側には、後に詳述する可動側板６に設けられたテンションロッド２８の上部に形成された係止部２９が貫通可能な係止部貫通孔１２が形成されている。そして、この係止部貫通孔１２の一縁部２Ｂ側には、係止部貫通孔１２に連通してガイドレール１１Ａ及び１１Ｂに沿って平行に延び、テンションロッド２８を通過させるテンションロッド通過孔１３が各々形成されている。
【００２８】
そしてまた、天板２のガイドレール１１Ａ及び１１Ｂの内側且つ一縁部２Ａの近傍には、後に詳述する可動側板６に設けられたボス部３５が挿入可能な溝１４（図１７参照）がそれぞれ形成されている。この溝１４の入口には、ボス部３５を溝１４に誘導するための傾斜面１９が形成されている。この傾斜面１９は、可動側板６側から固定側板５側に向けて徐々に突出するよう構成されている。そしてまた、天板２には、溝１４に挿入されたボス部３５がガイドレール１１Ａ及び１１Ｂに沿って移動するための連通路１５（図１７参照）が形成されている。
【００２９】
底板３は、天板２と同様の材質及び構成を備えており、その上面３Ｕ（すなわち、可変式板材収納枠１の内側となる内面：図１、図２及び図９参照）には、ガイドレール１１Ａ及び１１Ｂ、係止部貫通孔１２、テンションロッド通過孔１３、溝１４、連通路１５が形成されている。なお、符号３Ａは、天板２の一縁部２Ａに対応する底板３の一縁部であり、符号３Ｂは、天板２の一縁部２Ｂに対応する底板３の一縁部である。
【００３０】
固定側板５は、内面に多数の平行溝７が形成され、外面には長手方向の両端部よりやや内側に互いに向き合った鉤形片８を上下に複数並設した単位板９を複数枚組み合わせた構成としている。すなわち、固定側板５は、単位板９を同一平面内に上下に複数枚重ね合せて外面一対の鉤形片８内にハット形材１０の舌片１６を差し込んで、複数枚の単位板９を串刺し状にして一体化している。なお、ハット形材１０は、固定側板５の立設方向両側に２本配設されている。
【００３１】
可動側板６は、固定側板５と同様に、内面に多数の平行溝７が形成され、外面には長手方向の両端部よりやや内側に互いに向き合った鉤形片８を上下に複数並設した単位板９を複数枚組み合わせ、鉤形片８内にハット形材１０の舌片１６を差し込んで、複数枚の単位板９を串刺し状にして一体化している。なお、可動側板６も固定側板５と同様に、ハット形材１０は、可動側板６の立設方向両側に２本配設されている。
【００３２】
可動側板６に配設された２本のハット形材１０の各々の上下端には、互いに連動するピニオン歯車２１及び２２が配設されている。ハット形材１０の上端（可動側板６の上端）に配設された各々のピニオン歯車２１は、天板２に形成されたガイドレール１１Ａ及び１１Ｂのラック１７にそれぞれ噛合し、ハット形材１０の上端に配設されたピニオン歯車２２は、天板２に形成されたガイドレール１１Ａ及び１１Ｂのラック１８に各々噛合するよう配設されている。（図１９参照）。
【００３３】
一方、ハット形材１０の下端（可動側板６の下端）に配設された各々のピニオン歯車２１は、底板３に形成されたガイドレール１１Ａ及び１１Ｂのラック１７にそれぞれ噛合し、ハット形材１０の下端に配設されたピニオン歯車２２は、底板３に形成されたガイドレール１１Ａ及び１１Ｂのラック１８に各々噛合するよう配設されている。（図２０〜図２２参照）。
【００３４】
より具体的には、可動側板６のハット形材１０の上下端には、スライダ２０が各々固着されており、スライダ２０の内部には、軸心が直交するように配置した２個のピニオン歯車２１及び２２を回動自在に設けている。合計４個のスライダ２０のうち、隣り合う２個のスライダ２０の内部に設けられたピニオン歯車２１は、１本の回転軸２３で連結されている。この構成により、可動側板６の４隅部近くにスライダ２０とピニオン歯車２１及び２２が位置することになり、これ等に対応して天板２と底板３の内面にガイドレール１１Ａ及び１１Ｂが設けられているので、ガイドレール１１Ａ及び１１Ｂとスライダ２０の組み合わせ、及びラック１７とピニオン歯車２１、ラック１８とピニオン歯車２２との組み合わせの作用により、可動側板６の円滑な平行移動を可能にしている。
【００３５】
各々のスライダ２０のピニオン歯車２１側の側壁には、ピニオン歯車２１の反対側に突出した略円筒形のボス部３５が形成されている。このボス部３５は、可動側板６を天板２及び底板３に対し立設させる際に、天板２及び底板３に形成されている溝１４に挿入可能となっている。また、このボス部３５は、溝１４に挿入された後、天板２及び底板３に形成されている連通路１５内を移動可能となっている。
【００３６】
固定機構４０は、各々のテンションロッド貫通孔１３を貫通して天板２または底板３の表面と裏面から挟圧し、可動側板６を天板２及び底板３に対して固定するものである。この固定機構４０は、特に図６及び図７に示すように、テンションロッド貫通孔１３を貫通すると共に、テンションロッド貫通孔１３の貫通方向に移動可能であり、且つ一端に天板２または底板３によって係止される係止部２９を備えたテンションロッド２８と、テンションロッド２８の他端に、ピン２６を介して回動可能に接続されるロックレバー３０と、テンションロッド２８の係止部２９が天板２または底板３から遠ざかるように、テンションロッド２８を付勢するバネ部材３１と、を備えて構成されている。
【００３７】
テンションロッド２８は、レバー３０の簡単な揺動操作により、係止部２９を天板２または底板３に引き寄せたり離したりできるよう、外周にカム面２７が形成されている。このテンションロッド２８は、天板２または底板３を挟圧していない状態（図６参照）で、ピニオン歯車２１及び２２と、これに噛合するラック１７及び１８との間に隙間を形成可能な高さを備えて、可動側板６から突出形成するよう構成されている。
【００３８】
次に、本実施の形態にかかる可変式板材収納枠１の組立方法について、図面を参照して説明する。
【００３９】
先ず、図８に示すように、底板３の一縁部３Ａに固定側板５を固定する。次に、一縁部３Ｂの角部に、支柱４Ａ及び４Ｂを固定する。次いで、図１０〜図１２に示すように、可動側板６に配設された各々のボス部３５を、底板３に形成された溝１４に、図１２に示す矢印Ｘ方向（垂直方向）からそれぞれ挿入し、可動側板６を底板３の固定側板５近傍に立設させる。これによって、可動側板６の底板３側の一方に配設されているピニオン歯車２１及び２２とラック１７及び１８の位相と、可動側板６の底板３側の他方に配設されているピニオン歯車２１及び２２とラック１７及び１８の位相とを簡単に一致させることができる。
【００４０】
次に、図１３に示すように、天板２を固定側板５と、支柱４Ａ及び４Ｂに固定するため、可動側板６の上部を矢印方向に倒した後、天板２を固定側板５と、支柱４Ａ及び４Ｂに固定する。次いで、図１４及び図１５に示すように、可動側板６を矢印方向に引き起こし、元の状態に戻す。この時、天板２側に配設されているテンションロッド２８の係止部２９は、バネ部材３１によって天板２に向けて、その高さが最大となるよう付勢されている。したがって、可動側板６は、天板２の下面２Ｄに当接しながら矢印方向に引き起こされるため、天板２は、支柱４Ａ及び４Ｂ側を支点として、一縁部２Ａ側が若干押し上げられ、ラック１７とピニオン歯車２１、及びラック１８とピニオン歯車２２とが干渉し合うことなく、可動側板６が引き起こされる。
【００４１】
なお、図１５において、符号ＬＲは、ラック１７の天面ラインであり、符号ＬＰは、ピニオン歯車２１の天面ラインである。図１５に示すように、ＬＲと、ＬＰとの間には隙間Ｌが形成されており、可動側板６が引き起こされる際に、ラック１７とピニオン歯車２１とが干渉しないことがわかる。
【００４２】
さらに、可動側板６を矢印方向に引き起こすと、図１７に示すように、ボス部３５が傾斜面１９を登って行き、矢印が示すように、ボス部３５は、この傾斜面１７に誘導されて溝１４内にそのまま挿入される。この動作により、全てのピニオン歯車２１及び２２と、これらに噛合するラック１７及び１８とが、同じ位置で噛合し合い、上下左右の位相合わせを行うことができる。
【００４３】
次に、この状態から可動側板６を支柱４Ａ及び４Ｂ側に向けて移動させると、各々のテンションロッド２８の係止部２９が、係止部貫通孔１２をそれぞれ貫通する。この時も、係止部２９は、バネ部材３１によって天板２に向けて、その高さが最大となるよう付勢されているため、係止部２９を簡単に係止部貫通孔１２に貫通させることができる。
【００４４】
次いで、可動側板６をさらに移動させると、テンションロッド２８がテンションロッド貫通孔１３を貫通して通過する。その後、図１８に示すように、可動側板６を所望位置まで移動させる。この時、図１９及び図２０に示すように、上下左右に配設されたピニオン歯車２１及び２２と、これらに噛合するラック１７及び１８とが、同じ位置で噛合し合っているため、可動側板６は固定側板５に対して平行に移動する。
【００４５】
その後、固定機構４０のロックレバー３０を矢印の方向に回動させ、テンションロッド２８の係止部２９を天板２及び底板３に当接させ、天板２及び底板３を表面と裏面から挟圧し、可動側板６を天板２及び底板３に対して固定する。
【００４６】
以上説明したように、本実施の形態にかかる可変式板材収納枠１は、可動側板６に形成されたボス部３５を天板２及び底板３に形成された溝１４に各々挿入することで、天板２及び底板３に対して可動側板６を正しく位置合わせすることができる。したがって、組立作業が容易に行えることは勿論のこと、常に、固定側板５に対して可動側板６を平行な状態で移動させることができる。
【００４７】
なお、本実施の形態で使用したバネ部材３１は、例えば、図２３に示すような構成を備えていてもよく、また、図２４に示すように、スプリングバネ３２を使用する等、他の構成を備えたものを使用してもよい。
【図面の簡単な説明】
【００４８】
【図１】本発明の実施の形態にかかる可変式板材収納枠の斜視図である。
【図２】図１に示す可変式板材収納枠の構成要素である天板の平面図である。
【図３】図１に示す可変式板材収納枠の構成要素である可動側板の斜視図である。
【図４】図３に示す可動側板の正面図である。
【図５】図３に示す可動側板の一部を拡大して示す斜視図である。
【図６】図３に示す可動側板の一部を拡大して示す断面図であり、天板をロックしていない状態を示す図である。
【図７】図３に示す可動側板の一部を拡大して示す断面図であり、天板をロックしている状態を示す図である。
【図８】図１に示す可変式板材収納枠の組立工程の一部を示す斜視図である。
【図９】図８に示す組立途中の可変式板材収納枠の一部を拡大して示す斜視図である。
【図１０】図１に示す可変式板材収納枠の組立工程の一部を示す側面図である。
【図１１】図１に示す可変式板材収納枠の組立工程の一部を示す側面図である。
【図１２】図１１に示す可変式板材収納枠の一部を拡大して示す断面図である。
【図１３】図１に示す可変式板材収納枠の組立工程の一部を示す側面図である。
【図１４】図１に示す可変式板材収納枠の組立工程の一部を示す側面図である。
【図１５】図１４に示す可変式板材収納枠の一部を拡大して示す断面図である。
【図１６】図１に示す可変式板材収納枠の組立工程の一部を示す側面図である。
【図１７】図１６に示す可変式板材収納枠の一部を拡大して示す断面図である。
【図１８】図１に示す可変式板材収納枠の組立工程の一部を示す側面図である。
【図１９】図１８に示す可変式板材収納枠の天板付近を拡大して示す断面図である。
【図２０】図１８に示す可変式板材収納枠の底板付近を拡大して示す断面図である。
【図２１】図１８に示す可変式板材収納枠の底板付近を拡大して示す斜視図である。
【図２２】図１８に示す可変式板材収納枠の底板付近を拡大して示す斜視図である。
【図２３】本発明の他の実施の形態にかかる可変式板材収納枠の一部を拡大して示す図である。
【図２４】本発明の他の実施の形態にかかる可変式板材収納枠の一部を拡大して示す図である。
【符号の説明】
【００４９】
１    可変式板材収納枠
２    天板
３    底板
５    固定側板
６    可動側板
１１Ａ、１１Ｂ    ガイドレール
１４    溝
１７、１８    ラック
１９    傾斜面
２１、２２    ピニオン歯車
２８    テンションロッド
２９    係止部
３１    バネ部材
３５    ボス部
４０    固定機構
【図１】
2006193194.tif 000003
【図２】
2006193194.tif 000004
【図３】
2006193194.tif 000005
【図４】
2006193194.tif 000006
【図５】
2006193194.tif 000007
【図６】
2006193194.tif 000008
【図７】
2006193194.tif 000009
【図８】
2006193194.tif 000010
【図９】
2006193194.tif 000011
【図１０】
2006193194.tif 000012
【図１１】
2006193194.tif 000013
【図１２】
2006193194.tif 000014
【図１３】
2006193194.tif 000015
【図１４】
2006193194.tif 000016
【図１５】
2006193194.tif 000017
【図１６】
2006193194.tif 000018
【図１７】
2006193194.tif 000019
【図１８】
2006193194.tif 000020
【図１９】
2006193194.tif 000021
【図２０】
2006193194.tif 000022
【図２１】
2006193194.tif 000023
【図２２】
2006193194.tif 000024
【図２３】
2006193194.tif 000025
【図２４】
2006193194.tif 000026